(57)【特許請求の範囲】
【請求項１】
内鍋を有する本体と、前記本体上部を覆う外蓋と、前記外蓋下面に前記内鍋フランジ部に対向する鍋パッキンを一体化した着脱式加熱板とを備え、前記着脱式加熱板は、外蓋下面への係止片と、他部品である着脱操作時のつまみ部とを設け、該つまみ部は係止する方向に働く付勢バネを有した炊飯器。
【請求項２】
着脱式加熱板の係止は３ヶ所とし、１ヶ所の係止片と２ヶ所の付勢バネ付きつまみ部を有してなる請求項１記載の炊飯器。
【請求項３】
着脱式加熱板の係止部は本体前側で、バネ付勢を行なっている２ヶ所のつまみ部をヒンジ側両端に設けた請求項１または２記載の炊飯器。
【発明の詳細な説明】
【０００１】
【発明の属する技術分野】
本発明は、一般家庭、あるいは業務用に使用する炊飯器に関するものである。
【０００２】
【従来の技術】
従来、この種の炊飯器は、例えば、図６、７に示されるような構成であった。図において、１は合成樹脂性の外蓋で、この外蓋１は上枠２の上部に一体成形されたヒンジ部材３にピン４を介して回動自在に支持されている。５は内カバーで、この内カバー５は外蓋１の内面に固着されている。この内カバ−５には発熱体である着脱式加熱板６が設置されており、加熱板６の上部には誘導コイル７が位置している。この誘導コイル７の電磁作用により加熱板６が発熱するのである。この加熱板６の着脱構成は、３ケ所を係止でそのうち２ケ所を着脱用のつまみ部８としている。このつまみ部８は加熱板６に一体化されている樹脂部品で形成されており、着脱の際、そのつまみ部８の樹脂そのものをある程度の力を加えて、変形させ、着脱を行っている。そして、この加熱板６には加熱板６の温度検知用のセンサ−９が加熱板６に圧接されており、加熱板６の温度を調節しているのである。
【０００３】
１０はヒンジ部材３と反対側に位置して保護枠１１の上端部に一体成形された係合部材で、この係合部材１０と対向するように外蓋１に係合レバ−１２がピン１３を介して回動可能に指示されている。そして、鍋パッキン１４は、前記外蓋１を閉じたときに内鍋１４のフランジ１５に圧接してその内鍋１４を密閉するようになっている。
【０００４】
【発明が解決しようとする課題】
近年の炊飯器の状況はコンパクト、使用性、清潔感に加えて高齢者に配慮したきわめて使いやすい商品が求められてきている。かかる観点から、蓋内部に設置されている鍋パッキン付き加熱板も着脱方式にし、蓋内部までお手入れを可能にしている。
【０００５】
しかしながら、現構成では、樹脂同士の勘合のみであり、着脱の際、樹脂部品の弾性変形を利用している為、かなりの力が必要で有り、特に高齢者には握力等の低下もみられ着脱は困難なものとなっていた。加えて製造、使用条件によっても加熱板勘合部の寸法は一定ではなくかなりの寸法精度が必要であり、着脱力を安定させることが更に困難であった。
【０００６】
本発明は、着脱性を向上させ、着脱力に関しても製造、使用条件にも左右されないようにすることができ、清潔性、操作性、使用性を向上させた炊飯器を可能にするものである。
【０００７】
【課題を解決するための手段】
内鍋を有する本体と、前記本体上部を覆う外蓋と、前記外蓋下面に前記内鍋フランジ部に対向する鍋パッキンを一体化した着脱式加熱板を備え、前記着脱式加熱板には、外蓋下面への係止片と、着脱操作時のつまみ部を設け、該つまみ部には係止する方向に働く付勢バネを有したものである。
【０００８】
【発明の実施の形態】
請求項１記載の発明は、内鍋を有する本体と、前記本体上部を覆う外蓋と、前記外蓋下面に前記内鍋フランジ部に対向する鍋パッキンを一体化した着脱式加熱板とを備え、前記着脱式加熱板は、外蓋下面への係止片と、他部品である着脱操作時のつまみ部とを設け、該つまみ部は係止する方向に働く付勢バネを有したことにより、付勢バネを圧縮させることにより容易に外蓋から加熱板を取り外すことができるのである。また、製造、使用条件等で外蓋、加熱板の変形が発生しても付勢バネが変形を吸収し、着脱力の安定化を実現するものである。
【０００９】
請求項２記載の発明は、着脱式加熱板の係止は３ヶ所とし、１ヶ所の係止片と２ヶ所の付勢バネ付きつまみ部を有することにより、より大きな外蓋、加熱板の変形に対応する事ができ、着脱性、着脱力がより一層安定するのである。
【００１０】
請求項３記載の発明は、着脱式加熱板の係止部は本体前側で、バネ付勢を行なっている２ヶ所のつまみ部をヒンジ側両端に設けることにより、加熱板を着脱する際、勘合部および操作部がヒンジ側にあるため、外蓋のガタツキが少なく着脱性が向上することができ、加えて製品の前方のコンパクト化が実現するのである。
【００１１】
【実施例】
（実施例１）
以下、本発明の第１の実施例を第１図〜第３図により説明する。図において、３１は上面が開口する略円筒形のボディである。このボディ３１の開口部には上枠３２が勘着している。前記ボディ３１内部には保護枠３３とコイルベース３４とで鍋収納部を形成している。コイルベース３４は有底円筒状に形成され、コイルベース３４上端部には前記保護枠３３を介して上枠３２に固定されている。
【００１２】
３５は合成樹脂製の外蓋で、この外蓋３５は上枠３２の後部に一体形成されたヒンジ部材３６にピン３７を介して回動自在に支持され、蓋バネ３８に付勢されている。
【００１３】
３９は、鍋パッキン４０付着脱式加熱板であり、外蓋３５下面を構成する外蓋カバー４１に取り付けられている。また外蓋カバー４１に加熱板３９を誘導加熱するための誘導コイル４２が設置されている。ここで、加熱板３９は電磁調理器の加熱原理と同様に誘導コイル４２に通電される電流の大きさと、誘導コイル４２の巻数等により加熱板３９の加熱量が決定されるが、炊飯器における加熱板３９の効果は、ご飯上部からオーブン効果を発揮させるために、可能な限り強い加熱パワーを必要とする。
【００１４】
その上に、炊飯器に求められている市場要求として、製品の使用性の容易さと清潔さが有り、現在蓋３５内にある鍋パッキン４０、付加熱板３９を着脱自在な構成をとっており、加熱板３９と外蓋カバー４１の嵌合部に付勢バネ４９を設けるものである。本構成を採用することにで、加熱板３９の清潔性と操作性の両立を可能にすることができるのである。
【００１５】
本案の実施例としては、加熱板３９側に他部品である、回転軸を持ったフックつまみ４４を設置し、そのフックつまみ４４を付勢バネ４３により外蓋カバー４１に付勢するという構成をとった。
【００１６】
この構成をとることにより、加熱板３９の着脱時にはこのフックつまみ４４をつまむことにより容易に着脱することができる。また加熱板３９に付勢バネ４３で付勢されたフックつまみ４４を設置することにより、製造過程での外蓋カバー４１、加熱板３９の成形のバラツキをも吸収し、製品バラツキも少なくでき、着脱力の安定化にも貢献するのである。加えて製品を使用していく上での製品の変形をも吸収することができ、長期間の使用においても加熱板３９の着脱力は安定しており、耐久性にも優れた製品が実現するのである。
【００１７】
この発明は蓋にＩＨがある機種に限らず、それ以外でも使用できることは言うまでもない。
【００１８】
（実施例２）
第２の実施例を第４、５図に基づき説明する。構成の一部は第１の実施例と同様であるので説明を一部省略する。図において、６１は加熱板、６２は鍋パッキン、６３は外蓋カバーであり、加熱板を係止部の３ヶ所のうち２ヶ所を付勢バネで付勢し、その２ヶ所をヒンジ側に構成したものである。
【００１９】
かかる構成において、加熱板６１着脱時の動作は、加熱板６１を下方から上方に持ち上げる動作となり、外蓋６４の開閉の軌跡とは異なる。この動作では、加熱板６１着脱時に外蓋６４が、閉まってきて動くことが無く、容易に加熱板６１を着脱することができるのである。
【００２０】
例えば、ヒンジ側とは逆側につまみが有るとすると、着脱動作は上方から下方に動かすことになる。すると加熱板６１着脱時に外蓋が閉まってしまい、着脱時に外蓋６４を押さえる、という別動作が必要になる。そうなると加熱板６１は片方の手で持ち、もう片方の手で外蓋６４を押さえるという動作になり、加熱板６１を安全にかつ容易に外すことができなくなるのである。
【００２１】
【発明の効果】
以上のように、本発明によれば、加熱板の着脱性を向上させ、また着脱力をも安定に保つことができ、より一層操作性が向上した炊飯器を実現することができる。
【００２２】
特に、請求項１記載の発明は、内鍋を有する本体と、前記本体上部を覆う外蓋と、前記外蓋下面に前記内鍋フランジ部に対向する鍋パッキンを一体化した着脱式加熱板とを備え、前記着脱式加熱板は、外蓋下面への係止片と、他部品である着脱操作時のつまみ部とを設け、該つまみ部は係止する方向に働く付勢バネを有したことにより、容易に外蓋から加熱板を取り外すことができるのである。
【００２３】
請求項２記載の発明は、着脱式加熱板の係止は３ヶ所とし、１ヶ所の係止片と２ヶ所の付勢バネ付きつまみ部を有することにより、製造、使用条件等で外蓋、加熱板の変形が発生しても付勢バネが変形を吸収し、着脱力の安定化を実現することが可能である。
【００２４】
請求項３記載の発明は、着脱式加熱板の係止部は本体前側で、バネ付勢を行なっている２ヶ所のつまみ部をヒンジ側両端に設けることにより、加熱板を着脱する際、勘合部および操作部がヒンジ側にあるため、外蓋のガタツキが少なく着脱性の向上が可能である。
【図面の簡単な説明】
【図１】本発明の第１の実施例の炊飯器の断面図
【図２】同炊飯器の要部拡大断面図
【図３】同炊飯器の要部概要図
【図４】本発明の第２の実施例の炊飯器の要部概略図
【図５】同炊飯器の動作説明図
【図６】従来の炊飯器の断面図
【図７】同炊飯器の要部断面図
【符号の説明】
３５、６４    外蓋
４０、６２    鍋パッキン
３９、６１    加熱板
４４          つまみ部
【図１】
0003633408.tif 000002
【図２】
0003633408.tif 000003
【図３】
0003633408.tif 000004
【図４】
0003633408.tif 000005
【図５】
0003633408.tif 000006
【図６】
0003633408.tif 000007
【図７】
0003633408.tif 000008